(57)【要約】【課題】スプリングが損傷することのないスプリング蝶番。【解決手段】スプリング蝶番１が一対の羽根１１，１２と、シャフト１６と、シャフト１６に巻回された状態にあって羽根１１を時計方向に付勢し、羽根１２を反時計方向に付勢するコイルスプリング１７とを有する。シャフト１６とコイルスプリング１７のコイル部分３６との間にはカラー３０が介在する。カラー３０は、シャフト１６の周方向へ回転可能なものであって、シャフト１６の長さ方向に並ぶ長さが同じ第１のカラー３１と第２のカラー３２とによって形成される。【選択図】図２
2010106574.tif 000002
【特許請求の範囲】
【請求項１】
一対の羽根と、前記羽根それぞれのナックル部に挿通されたシャフトと、前記シャフトに巻回された状態のコイル部分を含むコイルスプリングとを有し、前記コイルスプリングを形成している線材の両端部のうちの一方が前記羽根の一方に圧接し、前記両端部のうちのもう一方が前記羽根のもう一方に圧接して、前記コイルスプリングが前記羽根の一方を前記シャフトに関して時計方向へ旋回するように付勢し、かつ、前記羽根のもう一方を前記シャフトに関して反時計方向へ旋回するように付勢しているスプリング蝶番であって、
前記シャフトと前記コイル部分との間には、前記シャフトが挿通されているカラーが介在し、
前記カラーが前記シャフトに対して前記シャフトの周方向へ回転可能なものであって、前記シャフトの長さ方向に並ぶ長さが同じ第１のカラーと第２のカラーとによって形成されていることを特徴とする前記スプリング蝶番。
【請求項２】
前記カラーが前記コイル部分の内周面に対して周方向へ回転可能なものである請求項１記載のスプリング蝶番。
【請求項３】
前記線材の前記両端部のそれぞれは、先端部分が折曲されていて、前記両端部それぞれが圧接する前記羽根の厚さ方向に形成された凹部に進入している請求項１または２記載のスプリング蝶番。
【発明の詳細な説明】
【技術分野】
【０００１】
この発明は、扉や蓋等を開閉させるために使用するのに好適なスプリング蝶番に関する。
【背景技術】
【０００２】
扉や蓋等を開閉させるとき使用するスプリング蝶番であって、コイルスプリングを使用することによって、スプリング蝶番の羽根の一方を時計方向へ旋回するように付勢し、羽根のもう一方を反時計方向へ旋回するように付勢してあるものは従来周知である。その一例として、２００４年５月に（株）栃木屋が発行した「５２  栃木屋総合カタログ」（非特許文献１）の第２−６３頁に記載されたスプリング蝶番ＴＨ−６３Ｂを挙げることができる。このスプリング蝶番では、コイルスプリングを形成している線材の両端部のそれぞれがコイル部分から羽根のそれぞれに向かって延びていて、羽根の一方を時計方向へ付勢し、羽根のもう一方を反時計方向へ付勢している。
【非特許文献１】２００４年５月に（株）栃木屋が発行した「５２  栃木屋総合カタログ」
【発明の開示】
【発明が解決しようとする課題】
【０００３】
前記従来のスプリング蝶番では、それを扉に取り付けてその扉の開閉を繰り返しているときに、コイルスプリングがその径を小さくしたり大きくしたりするような変形を繰り返し、その変形の際にコイルスプリングの内側にあるシャフトの周面を強く擦るとか、シャフトを強く締め付けるように作用するとかということがある。こうしたことの結果として、コイルスプリングの線材が損傷し、やがて破断してスプリング蝶番の寿命を縮めるということがある。そのときの破断は、コイルスプリングの線材がコイル部分から羽根に向かって延びる部分において生じ易い。
【０００４】
この発明が課題とするところは、従来のスプリング蝶番に対して、その寿命が長くなるように改良を施すことにある。
【課題を解決するための手段】
【０００５】
前記課題を解決するために、この発明が対象とするのは、一対の羽根と、前記羽根それぞれのナックル部に挿通されたシャフトと、前記シャフトに巻回された状態のコイル部分を含むコイルスプリングとを有し、前記コイルスプリングを形成している線材の両端部のうちの一方が前記羽根の一方に圧接し、前記両端部分のうちのもう一方が前記羽根のもう一方に圧接して、前記コイルスプリングが前記羽根の一方を前記シャフトに関して時計方向へ旋回するように付勢し、かつ、前記羽根のもう一方を前記シャフトに関して反時計方向へ旋回するように付勢しているスプリング蝶番である。
【０００６】
かかるスプリング蝶番において、この発明が特徴とするところは、前記シャフトと前記コイル部分との間には、前記シャフトが挿通されているカラーが介在し、前記カラーが前記シャフトに対して前記シャフトの周方向へ回転可能なものであって、前記シャフトの長さ方向に並ぶ長さが同じ第１のカラーと第２のカラーとによって形成されている、ことにある。
【０００７】
この発明の実施形態の一つにおいて、前記カラーが前記コイル部分の内周面に対して周方向へ回転可能なものである。
【０００８】
この発明の実施形態の他の一つにおいて、前記線材の前記両端部のそれぞれは、先端部分が折曲されていて、前記両端部それぞれが圧接する前記羽根の厚さ方向に形成された凹部に進入している。
【発明の効果】
【０００９】
この発明に係るスプリング蝶番は、コイルスプリングのコイル部分とシャフトとの間にシャフトの周方向に回転可能な第１のカラーと第２のカラーとを介在させ、これら第１のカラーと第２のカラーとをシャフトの長さ方向へ並べたから、スプリング蝶番の羽根の旋回を繰り返すときに、その径が小さくなったり大きくなったりするコイル部分の周方向の動きには第１のカラーと第２のカラーとが追随する。このときのスプリングコイルは、シャフトを強く擦るということがないので損傷することがなく、スプリング蝶番は寿命の長いものになる。
【発明を実施するための最良の形態】
【００１０】
添付の図面を参照し、この発明に係るスプリング蝶番の詳細を説明すると、以下のとおりである。
【００１１】
図１は、自然状態にあるスプリング蝶番１の斜視図である。スプリング蝶番１は、第１の羽根１１と第２の羽根１２とからなる一対の羽根と、第１の羽根１１のナックル部１３と、第２の羽根１２のナックル部１４とに挿通されたシャフト１６と、シャフト１６に関して第１の羽根１１を時計方向Ａへ旋回するように付勢する一方、第２の羽根１２を反時計方向Ｂへ旋回するように付勢しているコイルスプリング１７とを有する。このように付勢されている第１の羽根１１と第２の羽根１２とは、図示の部位１８，１９において互いに当接することにより、さらに旋回することがないように静止している。
【００１２】
図２は、第１の羽根１１と第２の羽根１２とが水平となるように、コイルスプリング１７の付勢に抗してこれらの羽根１１，１２を旋回させたときのスプリング蝶番１の平面図であって、シャフト１６に沿う部分が破断して示されている。第１の羽根１１と第２の羽根１２とには、扉や蓋とこれらに対する固定枠（いずれも図示せず）とに取り付けるための透孔２１，２２が複数形成されている。また、第１の羽根１１と第２の羽根１２とには、コイルスプリング１７を形成している線材の両端部２３，２４における先端部分２５，２６を挿入するための透孔２７，２８が形成されている。
【００１３】
シャフト１６は、第１の羽根１１と第２の羽根１２とのナックル部１３，１４に挿通されていることに加えて、ナックル部１４と１４との間においては、カラー３０に挿通されている。
【００１４】
カラー３０は、ナックル部１４と１４との間のシャフト１６に沿う距離を二等分した寸法にほぼ等しい長さを有する第１カラー３１と第２カラー３２とによって構成されている。カラー３０の内径はシャフト１６の外径よりも大きくて、カラー３０がシャフト１６の周方向へ回転可能な状態にある。また、カラー３０の外径は、コイルスプリング１７のコイル部分３６の内径よりも小さく、カラー３０は、シャフト１６の長さ方向においてコイル部分３６の内側に挿抜可能かつコイル部分３６の周方向へ回転可能な状態にある。
【００１５】
コイルスプリング１７は、カラー３０を介してシャフト１６に対して巻回された状態にあるコイル部分３６と、コイル部分３６から第１の羽根１１の透孔２７にまで延びる端部２３と、コイル部分３６から第２の羽根１２の透孔２８にまで延びる端部２４とを有する。コイル部分３６のシャフト１６に沿う方向の寸法は、ナックル部１４と１４との間の距離よりも小さい値を有する。端部２３，２４は、図２において、コイルスプリング１７の線材が環状をなしているコイル部分３６から直状に延びる部分であって、それぞれの中間部分４１，４２が第１の羽根１１と第２の羽根１２とのそれぞれに圧接するように折曲されていて（図１参照）、これらの羽根１１，１２を時計方向Ａと反時計方向Ｂとに付勢している。
【００１６】
図３は、図２のＩＩＩ−ＩＩＩ線に沿う断面図である。第１の羽根１１では、透孔２７の周囲部分４３が第１の羽根１１の厚さ方向における上方に隆起した状態にあり、水平面Ｈとの間にクリアランスＣが形成されている。コイルスプリング１７の先端部分２５は、透孔２７へ進入し得るように折曲されており、クリアランスＣにまで延びることによって、第１の羽根１１が厚さの薄いものであっても、先端部分２５がスプリング蝶番１の使用中に透孔２７から抜け出ることがないようになっている。ただし、第１の羽根１１が厚さの厚いもので、透孔２７に先端部分２５を十分に進入させれば、先端部分２５が透孔２７から抜け出る可能性のない場合には、周囲部分４３を図示例の如く隆起させることなくこの発明を実施することも可能である。そのような場合の透孔２７は、めくら穴に代えることもできる。
【００１７】
第２の羽根１２は、透孔２８の周囲部分４４が透孔２７の周囲部分４３と同様な形状に形成されていて、コイルスプリング１７の先端部分２６は透孔２８から抜け出ることのない状態にある（図１，２参照）。
【００１８】
このように形成されているスプリング蝶番１において、第１の羽根１１と第２の羽根１２との旋回を繰り返すときに変形するコイルスプリング１７では、コイル部分３６につながる端部２３の基部５３（図２参照）と基部５３近傍のコイル部分３６とがカラー３０のうちの第２カラー３２とともに、または単独で第２カラー３２の外側においてシャフト１６の周方向へ動き、コイル部分３６につながる端部２４の基部５４（図１，２参照）と基部５４近傍のコイル部分３６とが第１カラー３１とともに、または単独で第１カラー３１の外側においてシャフト１６の周方向へ動く。そのときの基部５３とその近傍のコイル部分３６とはシャフト１６を擦ることがなく、基部５４とその近傍のコイル部分３６もまたシャフト１６を擦ることがない。それゆえ、コイルスプリング１７では、コイル部分３６や端部２３，２４がスプリング蝶番１の使用中に損傷し、やがて破断するという問題を解消することができる。
【００１９】
また、コイルスプリング１７は、両端部２３，２４における先端部分２５，２６が第１の羽根１１と第２の羽根１２とに形成された凹部である透孔２７，２８に進入した状態にあるから、スプリング蝶番１に手が触れても先端部分２５，２６によってけがをするということがなく、また先端部分２５，２６に衣服を引っ掛けるということもない。
【図面の簡単な説明】
【００２０】
【図１】スプリング蝶番の斜視図。
【図２】２枚の羽根を水平にしたときのスプリング蝶番の平面図。
【図３】図２のＩＩＩ−ＩＩＩ線断面図。
【符号の説明】
【００２１】
１    スプリング蝶番
１１    羽根（第１の羽根）
１２    羽根（第２の羽根）
１３    ナックル部
１４    ナックル部
１６    シャフト
１７    コイルスプリング
２３    端部
２４    端部
２５    先端部分
２６    先端部分
２７    凹部（透孔）
２８    凹部（透孔）
３０    カラー
３１    カラー（第１のカラー）
３２    カラー（第２のカラー）
Ａ    時計方向
Ｂ    反時計方向
【図１】
2010106574.tif 000003
【図２】
2010106574.tif 000004
【図３】
2010106574.tif 000005